(57)【要約】【課題】簡易な構成で隣り合うデータ線間の結合容量の大きさを低減させ、既に書き込みが終了したデータ線への影響を抑制する。【解決手段】電気光学装置は、表示領域から引き出された複数のデータ線１０３と、各画素を駆動するためのデータ信号が供給される画像信号線との接続を切り替えるスイッチング回路を備える。スイッチング回路は、画像信号線と接続するデータ線１０３を選択すると、選択したデータ線１０３と画像信号線を接続すると共に、少なくとも選択したデータ線１０３と隣り合う１本または２本のデータ線１０３と画像信号線との接続を遮断する。表示領域から引き出された各データ線１０３のうち全部または一部の隣り合うデータ線１０３の間には、固定電位が供給される導電部１２０が備わる。導電部１２０の幅Ｗは、両脇のデータ線１０３のうち一方のデータ線１０３の中心線ａから他方のデータ線１０３の中心線ｂまでの間隔Ｗａｂよりも小さい。【選択図】図１７
2010055041.tif 000002
【特許請求の範囲】
【請求項１】
複数の走査線と、複数のデータ線と、前記複数の走査線と前記複数のデータ線との交差の各々に対応して設けられた複数の画素とが形成された表示領域を有する電気光学パネルと、
前記電気光学パネルまたは前記電気光学パネルとは異なる基板に設けられ、前記表示領域から引き出された前記複数のデータ線と、前記複数の画素の各々を駆動するためのデータ信号が供給される画像信号線との接続を切り替えるスイッチング回路とを備え、
前記スイッチング回路を介して前記複数のデータ線の各々に前記データ信号を供給する電気光学装置において、
前記スイッチング回路は、前記画像信号線と接続する前記データ線を選択すると、当該選択した前記データ線と前記画像信号線を接続すると共に、少なくとも前記選択した前記データ線と隣り合う１または２の前記データ線と前記画像信号線との接続を遮断し、
前記複数のデータ線が前記表示領域から引き出されて前記スイッチング回路に至るまでの区間において、全部または一部の隣り合う前記データ線の間には、
固定電位が供給される導電部が設けられており、
前記導電部は、当該導電部の両脇の前記データ線と直交する方向の幅が、前記両脇の前記データ線のうち一方の前記データ線の中心線から他方の前記データ線の中心線までの間隔より短い、
ことを特徴とする電気光学装置。
【請求項２】
複数の走査線と、複数のデータ線と、前記複数の走査線と前記複数のデータ線との交差の各々に対応して設けられた複数の画素とが形成された表示領域を有する電気光学パネルと、
前記電気光学パネルまたは前記電気光学パネルとは異なる基板に設けられ、前記表示領域から引き出された前記複数のデータ線と、前記複数の画素の各々を駆動するためのデータ信号が供給される画像信号線との接続を切り替えるスイッチング回路とを備え、
前記スイッチング回路を介して前記複数のデータ線の各々に前記データ信号を供給する電気光学装置において、
前記複数のデータ線の各々は、両端がともに前記表示領域の外に引き出され、一端が前記スイッチング回路に接続されており、
前記スイッチング回路は、前記画像信号線と接続する前記データ線を選択すると、当該選択した前記データ線と前記画像信号線を接続すると共に、少なくとも前記選択した前記データ線と隣り合う１または２の前記データ線と前記画像信号線との接続を遮断し、
前記電気光学パネルにおいて、前記スイッチング回路に接続された一端とは反対側の、前記複数のデータ線が前記表示領域の外に引き出された区間において、全部または一部の隣り合う前記データ線の間には、
固定電位が供給される導電部が設けられており、
前記導電部は、当該導電部の両脇の前記データ線と直交する方向の幅が、前記両脇の前記データ線のうち一方の前記データ線の中心線から他方の前記データ線の中心線までの間隔より短い、
ことを特徴とする電気光学装置。
【請求項３】
前記導電部と、当該導電部の両脇の前記データ線のうち一方の前記データ線との間に設けられ、ダイオード特性を有する複数の回路素子を備える、
ことを特徴とする請求項１または２に記載の電気光学装置。
【請求項４】
前記導電部の各々に接続され、前記固定電位を供給する電源線を備え、
前記電源線は、前記固定電位として前記データ線に供給される最大電位以上の電位を供給する第１電源線を含み、
前記複数の回路素子の一部または全部は、カソードが前記導電部に接続され、アノードが前記データ線に接続される、
ことを特徴とする請求項３に記載の電気光学装置。
【請求項５】
前記導電部の各々に接続され、前記固定電位を供給する電源線を備え、
前記電源線は、前記固定電位として前記データ線に供給される最小電位以下の電位を供給する第２電源線を含み、
前記複数の回路素子の一部または全部は、アノードが前記導電部に接続され、カソードが前記データ線に接続される、
ことを特徴とする請求項３に記載の電気光学装置。
【請求項６】
請求項１乃至５のうちいずれか１項に記載の電気光学装置を備えたことを特徴とする電子機器。
【発明の詳細な説明】
【技術分野】
【０００１】
本発明は、電気光学装置および電子機器に関する。
【背景技術】
【０００２】
電気エネルギーによって光学特性が変化する電気光学物質として液晶が知られている。液晶表示装置は、複数の走査線と、複数のデータ線と、複数の走査線と複数のデータ線との交差の各々に対応して設けられた複数の画素とを備え、データ線を介して各画素にデータ信号を書き込む。
【０００３】
特許文献１には、複数のデータ線をまとめたブロック毎にデータ信号を供給して画素への書き込みを行う場合に、ブロックとブロックの境目で輝度ムラが発生する点が指摘されている。これは、隣接するデータ線が容量結合していることに起因して、すでに書き込みを終えたブロックのデータ線、特に、書き込みの対象となるブロックに隣接するデータ線の電位が変動するためである。特許文献１には、容量結合によるデータ線の電位変化を予測し、この予測に基づいて画像データを補正することで輝度ムラを低減する技術が開示されている。
【０００４】
【特許文献１】特開２００１−３４３９２３号公報
【発明の開示】
【発明が解決しようとする課題】
【０００５】
しかしながら、電位変化を予測するためには、隣接するデータ線に供給するデータ信号との差分を算出し、これに演算を施して補正データを生成しなければならない。このため、補正回路が必要となり、構成が複雑になるといった問題がある。
本発明は、上述した事情に鑑みてなされたものであり、簡易な構成で隣り合うデータ線間の結合容量の大きさを低減させ、既に書き込みが終了したデータ線への影響を抑制することを解決課題とする。
【課題を解決するための手段】
【０００６】
上述した課題を解決するため、本発明は、複数の走査線と、複数のデータ線と、前記複数の走査線と前記複数のデータ線との交差の各々に対応して設けられた複数の画素とが形成された表示領域を有する電気光学パネルと、前記電気光学パネルまたは前記電気光学パネルとは異なる基板に設けられ、前記表示領域から引き出された前記複数のデータ線と、前記複数の画素の各々を駆動するためのデータ信号が供給される画像信号線との接続を切り替えるスイッチング回路とを備え、前記スイッチング回路を介して前記複数のデータ線の各々に前記データ信号を供給する電気光学装置において、前記スイッチング回路は、前記画像信号線と接続する前記データ線を選択すると、当該選択した前記データ線と前記画像信号線を接続すると共に、少なくとも前記選択した前記データ線と隣り合う１または２の前記データ線と前記画像信号線との接続を遮断し、前記複数のデータ線が前記表示領域から引き出されて前記スイッチング回路に至るまでの区間において、全部または一部の隣り合う前記データ線の間には、固定電位が供給される導電部が設けられており、前記導電部は、当該導電部の両脇の前記データ線と直交する方向の幅が、前記両脇の前記データ線のうち一方の前記データ線の中心線から他方の前記データ線の中心線までの間隔より短い、ことを特徴とする。
【０００７】
なお、例えば、１〜ｎまで順番に並べられたｎ本のデータ線のうち、２番目からｎ−１番目までのいずれか１本のデータ線を選択してデータ信号を供給する場合には、選択したデータ線の両隣の２本のデータ線が少なくとも画像信号線との接続を遮断されるデータ線になる（例えば、２番目のデータ線を選択してデータ信号を供給する場合には、１番目および３番目の２本のデータ線が少なくとも画像信号線との接続を遮断されるデータ線になる）。これに対し、１番目のデータ線を選択してデータ信号を供給する場合と、ｎ番目のデータ線を選択してデータ信号を供給する場合には、選択したデータ線の隣の１本のデータ線が少なくとも画像信号線との接続を遮断されるデータ線になる（例えば、ｎ番目のデータ線を選択してデータ信号を供給する場合には、ｎ−１番目のデータ線が少なくとも画像信号線との接続を遮断されるデータ線になる）。
また、スイッチング回路が電気光学パネル（表示パネル）とは異なる基板に設けられている場合、「前記複数のデータ線が前記表示領域から引き出されて前記スイッチング回路に至るまでの区間」には、（１）電気光学パネルにおいて表示領域から引き出された複数のデータ線が延在する部分、（２）スイッチング回路が設けられた基板と電気光学パネルとをつなぐ接続ケーブル、（３）電気光学パネルとは異なる基板においてスイッチング回路に至るまでの複数のデータ線が延在する部分、が含まれる。
【０００８】
また、本発明は、複数の走査線と、複数のデータ線と、前記複数の走査線と前記複数のデータ線との交差の各々に対応して設けられた複数の画素とが形成された表示領域を有する電気光学パネルと、前記電気光学パネルまたは前記電気光学パネルとは異なる基板に設けられ、前記表示領域から引き出された前記複数のデータ線と、前記複数の画素の各々を駆動するためのデータ信号が供給される画像信号線との接続を切り替えるスイッチング回路とを備え、前記スイッチング回路を介して前記複数のデータ線の各々に前記データ信号を供給する電気光学装置において、前記複数のデータ線の各々は、両端がともに前記表示領域の外に引き出され、一端が前記スイッチング回路に接続されており、前記スイッチング回路は、前記画像信号線と接続する前記データ線を選択すると、当該選択した前記データ線と前記画像信号線を接続すると共に、少なくとも前記選択した前記データ線と隣り合う１または２の前記データ線と前記画像信号線との接続を遮断し、前記電気光学パネルにおいて、前記スイッチング回路に接続された一端とは反対側の、前記複数のデータ線が前記表示領域の外に引き出された区間において、全部または一部の隣り合う前記データ線の間には、固定電位が供給される導電部が設けられており、前記導電部は、当該導電部の両脇の前記データ線と直交する方向の幅が、前記両脇の前記データ線のうち一方の前記データ線の中心線から他方の前記データ線の中心線までの間隔より短い、ことを特徴とする。
【０００９】
以上の構成によれば、あるデータ線に画像信号線を接続してデータ信号を供給する場合、このデータ線と隣り合う１または２のデータ線と画像信号線との接続が遮断される。つまり、データ信号が供給されるデータ線と隣り合う１または２のデータ線はフローティング状態になる。しかしながら、表示領域から引き出された各データ線のうち全部または一部の隣り合うデータ線の間には、固定電位が供給される導電部が設けられる。この導電部とデータ線との間には寄生容量が付随し、また、導電部とデータ線との間の距離の方がデータ線間の距離より短いので、データ線間に発生する結合容量よりも、導電部とデータ線との間の寄生容量の方が支配的になる。従って、データ信号が供給されるデータ線と隣り合うデータ線がフローティング状態にあっても、これらのデータ線間における容量結合の影響を低減し、正確な表示を行うことが可能になる。また、特許文献１の構成と比較して補正演算などを行わずに済む。よって、簡易な構成で隣り合うデータ線間の結合容量の大きさを低減させ、既に書き込みが終了したデータ線への影響を抑制することができる。
【００１０】
また、導電部を設けない場合、隣のデータ線に供給されるデータ信号の電位に比例してクロストークが増大するため、データ信号の電位を低く設定する必要があったのに対し、本発明によれば、導電部を設けることでクロストークを低減できるため、データ信号の電位を高く設定することが可能である。よって、各画素への充電時間が短時間で済むため、データ信号の書き込み時間の短縮化や表示の高速化が図れる。
【００１１】
さらに、固定電位が供給される導電部をデータ線間に備えると共に線順次駆動を行う電気光学装置の場合、各データ線に対して同時にデータ信号を供給するので、データ信号を供給するタイミングにおいて電気光学装置の消費電流が瞬間的に大きくなり、導電部に供給される固定電位が瞬間的に大きく変動する場合がある。この場合、導電部とデータ線の間の寄生容量が変化し、これに応じてデータ線の電位が変動するため、表示品位の低下を招く。これに対し、本発明では、スイッチング回路を用いることで、少なくとも隣り合う２本のデータ線にはそれぞれ異なるタイミングでデータ信号が供給される。このため導電部に供給される固定電位が瞬間的に大きく変動することを抑えられる。従って、線順次駆動の場合に比べ、データ線の電位変動を抑え、表示品位の低下を防ぐことができる。また、線順次駆動の場合、各データ線に対して同時にデータ信号を供給するための回路、例えばラッチ回路およびスイッチング回路が必要になる。これに対し、本発明ではスイッチング回路のみでよいため、回路素子数が低減できる。よって、電気光学パネルの小型化や歩留まりの向上が図れる。
【００１２】
また、上述した電気光学装置において、前記導電部と、当該導電部の両脇の前記データ線のうち一方の前記データ線との間に設けられ、ダイオード特性を有する複数の回路素子を備える構成としてもよい。また、この場合、前記導電部の各々に接続され、前記固定電位を供給する電源線を備え、前記電源線は、前記固定電位として前記データ線に供給される最大電位以上の電位を供給する第１電源線を含み、前記複数の回路素子の一部または全部は、カソードが前記導電部に接続され、アノードが前記データ線に接続される構成であってもよい。また、前記導電部の各々に接続され、前記固定電位を供給する電源線を備え、前記電源線は、前記固定電位として前記データ線に供給される最小電位以下の電位を供給する第２電源線を含み、前記複数の回路素子の一部または全部は、アノードが前記導電部に接続され、カソードが前記データ線に接続される構成であってもよい。
以上の構成によれば、ダイオード特性を有する複数の回路素子によって静電保護回路を構成することができるから、データ線間の結合容量の影響を低減すると共に静電気耐性を向上することができる。
【００１３】
また、本発明に係る電子機器は、上述したいずれかの電気光学装置を備えたことを特徴とする。この電子機器には、例えば、パーソナルコンピュータや携帯電話機、情報携帯端末などが該当する。
【００１４】
なお、［発明を実施するための最良の形態］の記載からは、上述した発明の他に以下の発明が把握できる。
すなわち、本発明に係る電気光学装置は、複数の走査線と、複数のデータ線と、前記複数の走査線と前記複数のデータ線との交差の各々に対応して設けられた複数の画素と、前記複数の画素に表示すべき階調に応じたデータ信号を前記複数のデータ線に各々供給する駆動回路と、固定電位を供給する電源線と、前記複数のデータ線のうち全部または一部のデータ線の間に設けられ、前記電源線と電気的に接続された複数の配線とを備えた構成であってもよい。
この構成によれば、複数のデータ線のうち全部または一部のデータ線同士の間には、固定電位が供給される配線が設けられる。この配線とデータ線との間には寄生容量が付随し、また、配線とデータ線との間の距離の方がデータ線間の距離より短いので、データ線間に発生する結合容量よりも、配線とデータ線との間の寄生容量の方が支配的になる。従って、データ線間における容量結合の影響を低減し、正確な階調を表示することが可能になる。また、特許文献１の構成と比較して補正演算などを行わずに済む。よって、簡易な構成で隣り合うデータ線間の結合容量の大きさを低減させ、既に書き込みが終了したデータ線への影響を抑制することができる。
【００１５】
また、上述した電気光学装置において、前記複数の配線の各々と前記データ線との間に設けられ、ダイオード特性を有する複数の回路素子を備える構成としてもよい。また、この場合、前記電源線は、前記データ線に供給される最大電位以上の固定電位が供給される第１電源線を含み、前記複数の回路素子の一部または全部は、そのカソードが前記配線に電気的に接続され、そのアノードが前記データ線に電気的に接続される構成であってもよい。また、前記電源線は、前記データ線に供給される最小電位以下の固定電位が供給される第２電源線を含み、前記複数の回路素子の一部または全部は、そのアノードが前記配線に電気的に接続され、そのカソードが前記データ線に電気的に接続される構成であってもよい。
これらの構成によれば、ダイオード特性を有する複数の回路素子によって、いわゆる静電保護回路を構成することができるから、データ線間の結合容量の影響を低減すると共に静電気耐性を向上することができる。
【００１６】
また、上述した電気光学装置において、前記複数の配線は前記電源線と一体に形成される構成であってもよいし、前記複数の配線は、前記電源線とコンタクトホールを介して電気的に接続される構成であってもよい。さらに、上述した電気光学装置において、前記複数のデータ線および前記複数の配線は基板上に形成されており、当該基板上の位置を示すマーク部が形成されており、前記複数の配線の一部または全部は、前記マーク部と重ならないように屈曲した形状をしている構成であってもよい。また、前記複数の配線の一部または全部に前記データ線の番号を示す記号が形成される構成であってもよい。
【００１７】
また、上述した電気光学装置において、前記複数の画素は、複数の行と複数の列に配列され、前記複数の走査線は、行方向に沿って形成され、前記複数のデータ線は、列方向に沿って形成され、前記複数の画素は、Ｒ色を表示するＲ画素、Ｇ色を表示するＧ画素、およびＢ色を表示するＢ画素が各々列方向に配置され、前記複数のデータ線は、前記Ｒ画素にデータ信号を供給するＲデータ線、前記Ｇ画素にデータ信号を供給するＧデータ線、前記Ｂ画素にデータ信号を供給するＧデータ線をデータ線の組としたとき、複数のデータ線の組からなり、前記駆動回路は、前記データ線の組ごとに設けられ、前記Ｒデータ線、前記Ｇデータ線、および前記Ｂデータ線の各々にデータ信号を振り分ける選択回路を複数備え、前記複数の配線は、隣り合う前記データ線の組の間に配置される構成としてもよい。
この構成によれば、データ線間における容量結合の影響を低減することで、Ｒ，Ｇ，Ｂの各色間の階調-輝度特性の差を低減することができる。また、黒表示時に他の色の表示に伴う黒浮きを低減することも可能になる。
【００１８】
また、上述した電気光学装置において、前記複数の画素は、表示領域に設けられており、前記複数のデータ線は、前記表示領域をはみ出して形成されており、前記複数の配線は、前記複数のデータ線が前記表示領域からはみ出して形成されている周辺領域に形成されている構成であってもよい。また、本発明に係る電子機器は、上述したいずれかの電気光学装置を備えたことを特徴とする。この電子機器には、例えば、パーソナルコンピュータや携帯電話機、情報携帯端末などが該当する。
【発明を実施するための最良の形態】
【００１９】
＜１．第１実施形態＞
本発明の実施形態に係る電気光学装置は、電気光学材料として液晶を用いる。電気光学装置１は、主要部として液晶パネル（電気光学パネルの一例）を備える。液晶パネルは、スイッチング素子として薄膜トランジスタ（Thin Film Transistor：以下、「ＴＦＴ」と称する）を形成した素子基板と対向基板とを互いに電極形成面を対向させ、かつ一定の間隙を保って貼付し、この間隙に液晶を挟持している。
【００２０】
図１は、第１実施形態に係る電気光学装置１の構成を示すブロック図である。同図に示すように電気光学装置１は、複数の画素回路４００が面状に配列された表示領域Ａと、走査線駆動回路１００と、データ線駆動回路２００と、制御回路６００と、電界遮蔽用の配線が設けられる周辺領域Ｂ１とを有する。表示領域Ａには、Ｘ方向に延在するｎ本の走査線１０１と、Ｙ方向に延在する３ｍ本のデータ線１０３とが設けられる（ｍおよびｎは自然数）。各画素回路４００は、走査線１０１とデータ線１０３との交差に対応する位置に配置される。従って、これらの画素回路４００は縦ｎ行×横３ｍ列のマトリクス状に配列する。各画素回路４００は、間隔をあけて対向する画素電極および対向電極と両者間の液晶とで構成される液晶素子を含む。各液晶素子の透過率（図示しないバックライトから液晶素子に照射される光のうち観察側に透過する光量の割合）は、液晶素子に印加される電圧に応じて変化する。本実施形態では、液晶素子に印加される電圧が大きいほど液晶素子の透過率が大きくなるノーマリーブラックモードである。
【００２１】
走査線駆動回路１００は、複数の画素回路４００を水平走査期間（１Ｈ）ごとに行単位で選択するための回路である。走査線駆動回路１００は、順次アクティブになる走査信号Ｇ１〜Ｇｎをｎ本の走査線１０１の各々に出力する。第ｉ行（１≦ｉ≦ｎ）の走査線１０１に出力される走査信号Ｇｉのアクティブレベルへの遷移は、第ｉ行の選択を意味する。
【００２２】
本実施形態においては、計３ｍ本のデータ線１０３が、相隣接する３本（１０３[１]，１０３[２]，１０３[３]）を単位としてｍ個のブロックＢｋ（Ｂｋ１，Ｂｋ２，・・・Ｂｋｍ）に区分される。図１に示すように、各ブロックＢｋに含まれる３本のデータ線１０３のうち、左から数えて第１列目のデータ線１０３[１]に対応する各画素回路４００の表示色は「Ｒ（赤色）」である。また、左から数えて第２列目のデータ線１０３[２]に対応する各画素回路４００の表示色は「Ｇ（緑色）」である。さらに、左から数えて第３列目のデータ線１０３[３]に対応する各画素回路４００の表示色は「Ｂ（青色）」である。
【００２３】
図１に示す制御回路６００は、電気光学装置１の全体の動作を制御するための回路である。制御回路６００は、走査線駆動回路１００やデータ線駆動回路２００に対してクロック信号などの制御信号を出力するほか、選択信号SEL-R、SEL-G、SEL-Bを生成して各々を選択線２１〜２３に出力する。
【００２４】
データ線駆動回路２００は、信号出力回路２１０および選択回路２２０を備える。さらに選択回路２２０は、各ブロックＢｋに対応するｍ個の選択部２０Ｕを備える。信号出力回路２１０は、各ブロックＢｋに対応するｍ本の画像信号線２５を介して画像信号Ｘ１〜Ｘｍをｍ個の選択部２０Ｕに各々出力する。各選択部２０Ｕは、画像信号線２５とデータ線１０３との間に配置される３つのスイッチング素子を備える。各ブロックＢｋのデータ線１０３[１]に対応する各スイッチング素子のゲートは選択線２１に並列的に接続され、データ線１０３[２]に対応する各スイッチング素子のゲートは選択線２２に並列的に接続され、データ線１０３[３]に対応する各スイッチング素子のゲートは選択線２３に並列的に接続される。例えば、選択信号SEL-Rがアクティブレベルに遷移すると、各ブロックＢｋのデータ線１０３[１]に対応するｍ個のスイッチ素子が一斉にオン状態になり、各ブロックＢｋのデータ線１０３[１]と当該ブロックＢｋに対応する画像信号線２５とが導通する。
【００２５】
信号出力回路２１０は、各ブロックＢｋに対応するｍ系統の画像信号Ｘ１〜Ｘｍを生成して各画像信号線２５に出力する。各画像信号線２５に供給される画像信号Ｘは、当該画像信号線２５に対応するブロックＢｋの３列分のデータ線１０３と、選択された走査線１０１との各交差に位置する３つの画素回路４００の階調を時分割で指定する電圧信号である。
【００２６】
次に、周辺領域Ｂ１について説明する。液晶パネルＡＡ上において各データ線１０３は、表示領域Ａからはみ出でるように形成されている。この表示領域Ａからはみ出る部分、例えば、表示領域Ａの下側の部分（表示領域Ａとデータ線駆動回路２００との間）が周辺領域Ｂ１となる。
【００２７】
図２に周辺領域Ｂ１の構造を示す。図２（Ａ）に示すように、データ線１０３と直交する方向に電源線１１０が設けられている。この電源線１１０には固定電位が供給される。そして、隣接するデータ線１０３の間に遮蔽配線１２０が設けられている。各遮蔽配線１２０は電源線１１０と一体に同じ層で形成されている。このため、各遮蔽配線１２０は、電源線１１０と電気的に接続されており、その電位は電源線１１０と同じ固定電位となる。
【００２８】
図３（Ａ）に遮蔽配線１２０とデータ線１０３の等価回路を示す。隣接するデータ線１０３との間に遮蔽配線１２０が形成されているので、遮蔽配線１２０とデータ線１０３との間には、寄生容量Ｃａが付随する。隣接するデータ線１０３の間の距離より、遮蔽配線１２０とデータ線１０３との間の距離の方が短いので、隣接するデータ線１０３の間に発生する結合容量よりも寄生容量Ｃａの方が支配的になる。仮に、遮蔽配線１２０を設けない構成とした場合、同図（Ｂ）に示すように、隣接するデータ線１０３の間に発生する結合容量Ｃｂによって、あるデータ線１０３の電位が変動すると、このデータ線１０３に隣接するデータ線１０３の電位に影響を与える。
【００２９】
この点を、図４を参照して具体的に説明する。図４において、符号Ｃｕは、表示領域Ａの上部領域Ｘｕにおける隣接するデータ線１０３の間の寄生容量であり、符号Ｃｄは、表示領域Ａの下部領域Ｘｄにおける隣接するデータ線１０３の間の寄生容量である。また、データ信号の書き込み動作において、表示領域Ａでは、書き込みの対象となる行の画素がオン状態となり、その他の複数の画素はオフ状態となる。オン状態にある画素をＯＮ画素と称し、オフ状態にある画素を保持画素と称する。図４において、符号Ｃ１ａは、複数の保持画素における画素電極とデータ線１０３との間の寄生容量を表しており、符号Ｃ２ａは、複数の保持画素における保持容量を表している。また、符号Ｃ１ｂは、１個のオン画素における画素電極とデータ線１０３との間の寄生容量を表しており、符号Ｃ２ｂは、１個のオン画素における保持容量を表している。さらに、符号Ｃ３は、表示領域Ａにおける隣接するデータ線の間の寄生容量Ｃ３を表している。また、符号Ｃ４は、主として走査線１０１とデータ線１０３とが交差することによって発生するデータ線１０３の寄生容量を表している。
【００３０】
この例では、Ｇ色に対応するデータ線１０３［２］にデータ信号Ｘ２ｇを出力する。ここで、プレチャージ電位が中間階調に対応する電位であり、データ信号Ｘ２ｇが最低階調である黒に対応した電位であるとすれば、データ信号Ｘ２ｇをデータ線１０３［２］に供給することによって、その電位が低下する（ノーマリブラックの場合）。すると、寄生容量ＣｕおよびＣｄによってデータ線１０３［２］と容量結合しているデータ線１０３［１］の電位が変化するのである。特に、表示領域Ａの上部や下部に静電保護回路や検査回路を設ける場合、データ線１０３を長く引き回す必要があるため、寄生容量ＣｕおよびＣｄにより隣接するデータ線１０３の間のクロストークが問題となる。
【００３１】
ここで、クロストークの大きさは、データ線１０３の電位変化が大きいほど大きくなる。データ信号の書き込み時には、プレチャージ電位から表示すべき階調に応じた電位に変化する。表示すべき階調が黒の場合には、（１）プレチャージ電位が最大階調である白である場合、（２）プレチャージ電位が中間階調であるグレイの場合、（３）プレチャージ電位が最小階調である黒の場合によって、図５（Ａ）〜（Ｃ）に示すように階調-輝度特性が相違してしまう。
【００３２】
なお、図５（Ｃ）に示すように、プレチャージ電位が黒の場合は、Ｒ色、Ｇ色およびＢ色の階調-輝度特性が揃っている。しかしながら、Ｒ色の階調を最低階調（黒）とした場合、Ｂ色の表示階調に応じてＲ色の輝度が図６に示すように変動してしまう。すなわち、Ｒ色の階調を最低階調（黒）、Ｂ色の表示階調を最大階調（白）にすると、黒浮きが生じてしまい、表示品位が低下する。
【００３３】
しかしながら、本実施形態では、上述した遮蔽配線１２０を設けることによって、隣接するデータ線１０３の間における容量結合の影響や、隣接するデータ線１０３の間における電界の影響を低減させ、クロストークを抑圧することができる。これにより、各色間の階調-輝度特性の差を低減することができ、さらに、黒表示時に他の色の表示に伴う黒浮きを低減することが可能となる。
【００３４】
また、遮蔽配線１２０の態様としては、図２（Ａ）に示すものの他に、図２（Ｂ）に示すように電源線１１０と遮蔽配線１３０とを別の層に形成し、これらをコンタクトホールＨを介して電気的に接続してもよい。さらに、図２（Ａ）に示す電源線１１０と遮蔽配線１２０とを一体に形成し、その上に図２（Ｂ）に示す遮蔽配線１３０を形成してもよい。この場合には、遮蔽配線１２０および１３０を２つの層に形成できるので、隣接するデータ線１０３の間における容量結合の影響や、隣接するデータ線１０３の間における電界の影響をより一層、低減させることができる。
【００３５】
また、データ線１０３の近傍には、図２（Ｃ）に示すように素子基板上の位置を示すマーク部Ｍが形成される場合がある。この場合には、遮蔽配線１３０をマーク部Ｍと重ならないように屈曲した形状とすることが好ましい。さらに、データ線１０３の近傍には、図２（Ｄ）に示すようにデータ線１０３の番号を示す記号を形成することがある。この場合は、遮蔽配線１３０を中抜きしてナンバリングしてもよい。このように、遮蔽配線は、隣接するデータ線１０３の間に設けるのであれば、その形状は直線でなくてもよい。
【００３６】
次に、データ信号の書き込みについて説明する。図７は、データ信号を書き込む場合の電気光学装置１の各部の信号波形を示すタイミングチャートである。同図に示すように走査線駆動回路１００から出力される走査信号Ｇｉは、水平走査期間（１Ｈ）ごとに順番にハイレベル（アクティブレベル）になる。すなわち、走査信号Ｇｉは、垂直走査期間のうち第ｉ番目の水平走査期間においてハイレベルを維持するとともに、それ以外の期間ではローレベル（非アクティブレベル）を維持する。
【００３７】
ひとつの水平走査期間Ｈは、当該水平走査期間Ｈの開始時点から所定期間が経過するまでのプレチャージ期間Ｔｐと、プレチャージ期間Ｔｐの経過後の第１期間Ｔ１と、第１期間Ｔ１の経過後の第２期間Ｔ２と、第２期間Ｔ２の経過後の第３期間Ｔ３とを有する。図７においては第１行目の走査線１０１が選択される最初の水平走査期間Ｈのみを例示しているが、他の水平走査期間Ｈについても同様である。また、図７において、「ｋ」は１≦ｋ≦ｍを満たす自然数である。
【００３８】
プレチャージ期間Ｔｐは、３ｍ本のデータ線１０３に対して共通のプレチャージ電位Ｖｐを一斉に供給（プレチャージ）する期間である。プレチャージ期間Ｔｐにおいて、選択信号SEL-R、SEL-G、SEL-Bは一斉にハイレベル（アクティブレベル）に遷移する。これにより、各ブロックＢｋに属する３つのスイッチング素子は一斉にオン状態になる。プレチャージ期間Ｔｐにおいて、信号出力回路２１０から各画像信号線２５へ出力される画像信号Ｘはプレチャージ電位Ｖｐに設定され、総てのデータ線１０３に対してプレチャージ電位Ｖｐが一斉に供給される。本実施形態においてプレチャージ電位Ｖｐは、各画素回路４００に供給された場合に中間階調（灰色）を表示させる電位に設定される。プレチャージ期間Ｔｐが終了すると、選択信号SEL-R、SEL-G、SEL-Bは一斉にローレベルに遷移し、各ブロックＢｋに属する３つのスイッチング素子は一斉にオフ状態になる。
【００３９】
第１期間Ｔ１〜第３期間Ｔ３において３系統の選択信号SEL-R、SEL-G、SEL-Bが順番にアクティブレベルに遷移する。図７に示すように、第１期間Ｔ１においては、選択信号SEL-Rがハイレベルに遷移する一方、選択信号SEL-GおよびSEL-Bはローレベルを維持する。従って、各ブロックＢｋのデータ線１０３[１]に対応するスイッチング素子がオン状態に遷移して、各ブロックＢｋのデータ線１０３[１]と当該ブロックＢｋに対応する画像信号線２５とが導通する。第１期間Ｔ１において、信号出力回路２１０から各画像信号線２５に供給される画像信号Ｘｋは、当該画像信号線２５に対応するブロックＢｋにおけるデータ線１０３[１]と、選択された走査線１０１との交差に位置する画素回路４００の階調に応じた電位ＶＲに設定され、この電位ＶＲがデータ信号Ｘｋｒとしてデータ線１０３[１]に供給される。
【００４０】
同様に、第２期間Ｔ２においては、選択信号SEL-Gがハイレベルとなるので、各選択部２０Ｕの第２段目のスイッチング素子がオン状態に遷移する。従って、各ブロックＢｋのデータ線１０３[２]に電位ＶＧの画像信号Ｘｋが供給される。また、第３期間Ｔ３においては、選択信号SEL-Bがハイレベルとなるので、各選択部２０Ｕの第３段目のスイッチング素子５１がオン状態に遷移する。従って、各ブロックＢｋのデータ線１０３[３]に電位ＶＢの画像信号Ｘｋが供給される。
なお、この例において、電位ＶＲは中間階調（グレイ）、電位ＶＧおよびＶＢは最小階調（黒）を示すものとする。
【００４１】
一方、選択信号SEL-Rは、プレチャージ期間Ｔｐおよび期間Ｔ１以外の期間Ｔ２およびＴ３においてローレベルを維持するから、期間Ｔ２およびＴ３においてデータ線１０３[１]は電気的にフローティング状態である。同様に、期間Ｔ１およびＴ３においてデータ線１０３[２]は電気的にフローティング状態であり、期間Ｔ１およびＴ２においてデータ線１０３[３]は電気的にフローティング状態である。
【００４２】
データ線１０３[１]〜１０３[３]は、フローティング状態にある場合、容量結合した他のデータ線の電位が変化すると、これに応じて電位が変動してしまう。しかしながら、本実施形態では、図２を参照して説明したように隣接するデータ線１０３の間には遮蔽配線１２０が設けられているので、他のデータ線の電位が変化してもフローティング状態のデータ線の電位は殆ど変化しない。この結果、図７に示すように、時刻ｔ１においてデータ線１０３[２]の電位がプレチャージ電位Ｖｐから最小階調の電位に変化しても、フローティング状態にあるデータ線１０３[１]および[３]の電位は変化しない。また、時刻ｔ２においてデータ線１０３[３]の電位がプレチャージ電位Ｖｐから最小階調の電位に変化しても、フローティング状態にあるデータ線１０３[１]および[２]の電位は変化しない。そして、時刻ｔ３において１水平走査期間１Ｈが終了すると、その時点におけるデータ線１０３[１]、１０１[２]、および１０１[３]の電位が、１行目の走査線１０１に対応する画素回路４００に書き込むべき電位として確定する。
【００４３】
仮に、遮蔽配線１２０を設けない構成とした場合、隣接するデータ線１０３の間の結合容量によって、図８に示すように時刻ｔ１においてデータ線１０３[２]の電位がプレチャージ電位Ｖｐから最小階調の電位に変化すると、既に書き込みが終了してフローティング状態にあるデータ線１０３[１]の電位が低下する。さらに、時刻ｔ２においてデータ線１０３[３]の電位がプレチャージ電位Ｖｐから最小階調の電位にすると、フローティング状態にあるデータ線１０３[１]および[２]の電位が低下してしまう。この結果、時刻ｔ３において１水平走査期間１Ｈが終了した時点で、データ線１０３[１]および１０１[２]の電位が、本来の電位より低下してしまい、正確な階調を表示することができなくなる。
【００４４】
以上説明したように本実施形態によれば、遮蔽配線１２０を設けることによって、データ線１０３の間における容量結合の影響や、データ線１０３の間における電界の影響を低減することができる。従って、あるデータ線の電位が変化してもフローティング状態にある他のデータ線の電位が殆ど変化しない。よって、補正演算などを行わなくても簡易な構成で正確な階調を表示することが可能となる。
【００４５】
＜２．第２実施形態＞
第２実施形態に係る電気光学装置は、周辺領域Ｂ１の詳細な構成を除き、第１実施形態に係る電気光学装置１と同様に構成されている。第２実施形態に係る電気光学装置は、周辺領域Ｂ１の替わりに、静電保護回路を組み込んだ周辺領域Ｂ２を採用する。
【００４６】
図９に周辺領域Ｂ２における回路構成を示す。同図に示すように周辺領域Ｂ２には、高電位ＶＨを供給する第１電源線１１０Ａと、低電位ＶＬを供給する第２電源線１１０Ｂが形成される。高電位ＶＨは、データ線１０３の最大電位よりも高い固定電位であり、低電位ＶＬはデータ線１０３の最低電位よりも低い固定電位である。
【００４７】
この例では、データ線１０３と、第１電源線１１０Ａに接続された遮蔽配線１２０Ａとの間にダイオード素子Ｄが設けられている。このダイオード素子Ｄは、カソードが遮蔽配線１２０Ａに電気的に接続され、アノードがデータ線１０３に電気的に接続される。また、データ線１０３と、第２電源線１１０Ｂに接続された遮蔽配線１２０Ｂとの間にもダイオード素子Ｄが設けられている。このダイオード素子Ｄは、カソードがデータ線１０３に電気的に接続され、アノードが遮蔽配線１２０Ｂに電気的に接続される。
【００４８】
ダイオード素子Ｄの構成例としては、例えば、図１０に示すようにＭＯＳ-ＴＦＴをダイオード接続した態様や、ＰＩＮダイオードでダイオード素子Ｄを構成する態様がある。要は、ダイオード特性が得られる回路素子であれば、どのようなものを用いてもよい。また、この例では、静電保護回路を表示領域Ａとデータ線駆動回路２００との間に設けたが、静電保護回路を表示領域Ａの上側に設けてもよい。
【００４９】
第２実施形態では、第１実施形態と同様にデータ線１０３の間の結合容量の影響を低減すると共に、静電気耐性を向上することができる。静電保護回路は、遮蔽配線１２０が配置される周辺領域Ｂ２に形成されるので、新たに静電保護回路を設けるスペースを確保する必要がない。よって、液晶パネルのサイズを小型化することができる。
【００５０】
＜３．第３実施形態＞
上述した第１実施形態および第２実施形態では、３ｍ本のデータ線１０３の全てについて、隣接するデータ線１０３の間に遮蔽配線１２０を設けたが、第３実施形態の電気光学装置では、３ｍ本のデータ線１０３のうち一部のデータ線１０３の間に遮蔽配線１２０を設ける。この場合には、遮蔽配線１２０を設けた一部のデータ線１０３の間について、データ線１０３の間における容量結合の影響や、データ線１０３の間における電界の影響を低減させることができる。
【００５１】
第３実施形態に係る電気光学装置は、周辺領域Ｂ１の替わりに周辺領域Ｂ３を採用する。図１１に周辺領域Ｂ３の構造を示す。同図に示すように、遮蔽配線１２０は、Ｂ色のデータ信号を供給するデータ線１０３［３］と、Ｒ色のデータ信号を供給するデータ線１０３［１］との間に設けられている。従って、データ線１０３［３］の電位が変化することによって、既に書き込みを終えた隣接するブロックＢｋのデータ線１０３［１］の電位に与える影響を低減することができる。但し、本実施形態に係る電気光学装置においては、上述した第１実施形態および第２実施形態の場合のように、データ線１０３［２］の電位が変化することによってデータ線１０３［１］の電位に与える影響や、データ線１０３［３］の電位が変化することによってデータ線１０３［２］の電位に与える影響を低減することはできない。
【００５２】
ここで、第１実施形態と同様に、電位ＶＲは中間階調（グレイ）、電位ＶＧおよびＶＢは最小階調（黒）を示すものとすれば、本実施形態では、図１２に示すように、時刻ｔ１においてデータ線１０３[２]の電位がプレチャージ電位Ｖｐから最小階調の電位に変化すると、フローティング状態にあるデータ線１０３[１]の電位が低下してしまう。また、時刻ｔ２においてデータ線１０３[３]の電位がプレチャージ電位Ｖｐから最小階調の電位に変化すると、フローティング状態にあるデータ線１０３[２]の電位が低下してしまう。しかしながら、時刻ｔ２においてデータ線１０３[３]の電位がプレチャージ電位Ｖｐから最小階調の電位に変化したとき、フローティング状態にあるデータ線１０３[１]の電位は変化しない。つまり、Ｒ色に対応するデータ線１０３［１］の電位がＢ色のデータ線１０３［３］から受ける影響を低減することができる。
【００５３】
仮に、遮蔽配線１２０を設けない構成とした場合、図１３（Ｂ）に示すように最後の書き込まれるＢ色の階調-輝度特性を基準とすると、最初に書き込まれるＲ色の階調-輝度特性が最もズレが大きく、その次に書き込まれるＧ色の階調-輝度特性のズレがＲ色と比較して小さくなる。これに対し、本実施形態によれば、図１３（Ａ）に示すようにＲ色の階調-輝度特性について、Ｇ色の階調-輝度特性やＢ色の階調-輝度特性との差を小さくすることができる。従って、遮蔽配線１２０を設けない場合と比較して、Ｒ色の階調-輝度特性を改善することができる。すなわち、遮蔽配線１２０を一部のデータ線１０３の間に設ける構成であっても、遮蔽配線１２０を全く設けない場合と比較して、階調-輝度特性を改善することができる。
【００５４】
＜４．第４実施形態＞
上述した第１乃至第３実施形態では、選択回路２２０を用いて、Ｒ色、Ｂ色、Ｇ色の順にデータ線１０３[１]，１０１[２]，１０１[３]を順次選択してデータ信号を書き込んだ。これに対し、第４実施形態では点順次走査を行う。
【００５５】
図１４は、第４実施形態に係る電気光学装置２の構成を示すブロック図である。電気光学装置２は、データ線駆動回路２００として、選択回路２２０の替わりに３ｍ個のスッチング素子を備えたサンプリング回路２３０と、信号出力回路２１０の替わりにサンプリングパルスＳ１〜Ｓ３ｍを生成するシフトレジスタ２４０を備える点で、図１に示した第１実施形態の電気光学装置１と相違する。
また、本実施形態に係る電気光学装置２においては、制御回路６００から画像信号線２４を介して画像信号ＶＩＤが供給される。サンプリング回路２３０を構成する３ｍ個のスッチング素子は、サンプリングパルスＳ１〜Ｓ３ｍに従って画像信号ＶＩＤをサンプリングしてデータ信号を生成し、各データ線１０３に出力する。なお、電気光学装置２においても周辺領域Ｂ１において、隣接するデータ線１０３の間に遮蔽配線１２０が設けられている。
【００５６】
図１５に、データ信号を書き込む場合の電気光学装置２の各部の信号波形を示すタイミングチャートを示す。同図に示すように、ひとつの水平走査期間Ｈは、当該水平走査期間Ｈの開始時点から所定期間が経過するまでのプレチャージ期間Ｔｐと、これに続く書込期間Ｔｗとからなる。
サンプリングパルスＳ１〜Ｓ３ｍは、プレチャージ期間Ｔｐにおいて同時にハイレベルとなる。このため、サンプリング回路２３０を構成する全てのスイッチング素子が同時にオン状態となる。このとき、画像信号ＶＩＤはプレチャージ電位Ｖｐとなっている。よって、プレチャージ期間Ｔｐにおいて３ｍ本のデータ線１０３に対し、共通のプレチャージ電位Ｖｐが一斉に供給（プレチャージ）される。また、書込期間Ｔｗにおいては、サンプリングパルスＳ１〜Ｓ３ｍが順次ハイレベルとなる。これによって、３ｍ個のスイッチング素子が順次オン状態となり、画像信号ＶＩＤが３ｍ本のデータ線１０３に供給される。
【００５７】
ここで、ｊ番目のデータ線１０３に画像信号ＶＩＤを書き込む場合を想定する。この時、ｊ番目のデータ線１０３に隣接するｊ−１番目およびｊ＋１番目のデータ線１０３はフローティング状態となっている。しかしながら、ｊ番目のデータ線１０３とｊ−１番目のデータ線１０３の間、およびｊ番目のデータ線１０３とｊ＋１番目のデータ線１０３の間には、遮蔽配線１２０が設けられている。従って、ｊ番目のデータ線１０３の電位が変化しても、ｊ−１番目およびｊ＋１番目のデータ線１０３の電位に殆ど影響を与えない。
【００５８】
例えば、３ｍ番目のデータ線１０３からデータ信号を受け取る画素回路４００におけるＢ色の階調-輝度特性をＺ２、３（ｍ−１）番目のデータ線１０３からデータ信号を受け取る画素回路４００におけるＢ色の階調-輝度特性をＺ１としたとき、遮蔽配線１２０がある場合には、図１６（Ａ）に示すように階調-輝度特性Ｚ１およびＺ２がほぼ一致し、遮蔽配線１２０がない場合には、図１６（Ｂ）に示すように階調-輝度特性Ｚ１およびＺ２が相違する。これは、３ｍ番目のデータ線１０３は、最後にデータ信号が書き込まれるので、他のデータ線１０３の電位変化の影響を受けないが、３（ｍ−１）番目のデータ線１０３の電位は、遮蔽配線１２０がないと３ｍ番目のデータ線１０３の電位変化の影響を受けるからである。
このように点順次走査においても遮蔽配線１２０を用いることにより、データ線１０３の間のクロストークを低減して、正確な階調を表示することが可能となる。
【００５９】
＜５．第５実施形態＞
第５実施形態に係る電気光学装置は、周辺領域Ｂ１の構成を除き、第１実施形態に係る電気光学装置１と同様に構成されている。第５実施形態に係る電気光学装置は、周辺領域Ｂ１の替わりに周辺領域Ｂ４を備える。
【００６０】
図１７および図１８に周辺領域Ｂ４の構造を示す。図１７（Ａ）に示すように、データ線１０３と直交する方向に電源線１１０が設けられている。この電源線１１０には固定電位が供給される。そして、隣り合うデータ線１０３の間に導電部１２０が設けられている。導電部１２０は電源線１１０と一体に同じ層で形成されている。このため、導電部１２０は、電源線１１０と電気的に接続されており、その電位は電源線１１０と同じ固定電位となる。また、同図（Ａ）に示すように、導電部１２０の幅（両脇のデータ線１０３に対して直交する方向の幅）Ｗは、両脇のデータ線１０３のうち一方のデータ線の中心線ａから他方のデータ線１０３の中心線ｂまでの間隔Ｗａｂよりも小さい（Ｗ＜Ｗａｂ）。
【００６１】
つまり、図１７（Ｂ）に示すように、導電部１２０は両端がデータ線１０３と重なっていてもよい。この場合、導電部１２０の一部がデータ線１０３と重なっているため、データ線１０３と導電部１２０の間の寄生容量が増えるが、データ線１０３間における容量結合の影響は、図１７（Ａ）に示した構成に比べ低減できる。また、図１７（Ｃ）に示すように、データ線１０３と直交する方向に２本の電源線１１０を設け、この２本の電源線１１０の間に、２本の電源線１１０と一体に同じ層で、Ｗａｂよりも小さな幅Ｗを有する導電部１２０を設けてもよい。
【００６２】
なお、図１７（Ｄ）に示すように、導電部１２０の幅Ｗを両脇のデータ線１０３の間の距離Ｗｃｄよりも小さくし（Ｗ＜Ｗｃｄ）、導電部１２０が両脇のデータ線１０３と重ならないようにしてもよい。また、図１８（Ａ）に示すように、導電部１２０は電源線１１０と交差して図中下側にも延在する構成であってもよい。さらに図１８（Ｂ）に示すように、電源線１１０と導電部１３０を別の層に形成し、これらをコンタクトホールＨを介して電気的に接続してもよい。
【００６３】
以上説明した第５実施形態においても、第１実施形態の場合と同様に、データ線１０３間における容量結合の影響や、データ線１０３間における電界の影響を低減することができる。なお、第２実施形態にて説明した静電保護回路を本実施形態に係る周辺領域Ｂ４に組み込んでもよい。但し、静電保護回路を組み込む場合は、ダイオード特性を有する回路素子を導電部１２０とデータ線１０３の間に設ける必要があるため、その分だけ導電部１２０の幅Ｗを狭くする必要がある。また、第３実施形態にて説明したように一部のデータ線１０３間に導電部１２０を設ける構成としてもよい。また、本実施形態に係る周辺領域Ｂ４を第４実施形態にて説明した点順次駆動を行う電気光学装置２に組み込んでもよい。
【００６４】
＜６．変形例＞
本発明は上述した各実施形態に限定されるものではなく、例えば以下の変形が可能である。また、以下に示す２以上の変形例を組み合わせることもできる。
（１）上述した各実施形態では、電気光学素子の一例として液晶素子を用いたが、本発明はこれに限定されるものではなく、電気エネルギーによって光学特性が変化する電気光学素子であればどのようなものを用いてもよい。例えば、電気光学素子として、有機発光ダイオードや無機発光ダイオードを用いることができる。
【００６５】
（２）上述した各実施形態では、周辺領域を表示領域Ａとデータ線駆動回路２００との間に設けたが、これをデータ線駆動回路２００とは反対側、すなわち表示領域Ａの上側に設けてもよい。要は、複数のデータ線１０３が表示領域Ａからはみ出して形成されている領域に遮蔽配線や導電部を形成することが好ましい。
【００６６】
（３）上述した各実施形態において、電源線は、遮蔽配線や導電部に固定電位を供給できればよく、必ずしもデータ線１０３と交差している必要はない。
【００６７】
（４）上述した各実施形態において、データ線駆動回路２００は、液晶パネルＡＡとは異なる別の基板上（例えば制御基板）に設けられていてもよい。この場合、表示領域Ａから引き出された３ｍ本のデータ線１０３は、［１］液晶パネルＡＡ上において表示領域Ａの外側部分、［２］液晶パネルＡＡと制御基板とをつなぐ接続ケーブル、［３］制御基板上においてデータ線駆動回路２００に至るまでの部分、を経てデータ線駆動回路２００に接続される。そして、遮蔽配線や導電部は、上述した［１］〜［３］のいずれか１以上の区間に設けることができる。また、静電保護回路は［１］の他に［３］に設けることができる。
【００６８】
また、このように液晶パネルＡＡとは異なる別の基板上にデータ線駆動回路２００を設ける場合、液晶パネルＡＡ上において各データ線１０３の両端を表示領域Ａの外側に引き出し、各データ線１０３の一端を接続ケーブルを介して別基板上のデータ線駆動回路２００に接続し、この一端とは反対側の、液晶パネルＡＡ上において各データ線１０３が表示領域Ａの外側に引き出されている部分に、遮蔽配線や導電部、静電保護回路を設けてもよい。つまり、液晶パネルＡＡにおいて、例えば、表示領域Ａの上下に各データ線１０３を引き出すと共に、下側に引き出した各データ線１０３をデータ線駆動回路２００に接続した場合は、表示領域Ａの上側に引き出した各データ線１０３に対して、遮蔽配線や導電部、静電保護回路を設ける構成としてもよい。
【００６９】
＜７．効果＞
本発明によれば、隣り合うデータ線１０３間の寄生容量に起因するクロストークを低減し、表示品位の低下を防ぐことができる。遮蔽配線や導電部を設けない場合、隣のデータ線１０３に書き込むデータ信号の電位に比例してクロストークが増大するため、これを低減するにはデータ信号の電位を低く設定する必要があった。これに対し、本発明によれば、遮蔽配線や導電部を設けることでクロストークを低減できるため、データ信号の電位を高く設定することが可能である。その結果、各画素への充電時間が短時間で済むため、書き込み時間の短縮化や表示の高速化が図れる。
【００７０】
図１９（Ａ）は本発明の概略構造を示す平面図であり、図１９（Ｂ）および図１９（Ｃ）はその断面図である。なお、図１９（Ｂ）はデータ線１０３と導電部１２０が別の層に形成された場合の断面図であり、図１９（Ｃ）はデータ線１０３と導電部１２０が同層に形成された場合の断面図である。また、図２０（Ａ）は従来の構造を示す平面図であり、図２０（Ｂ）はその断面図である。
図１９（Ａ）〜図１９（Ｃ）に示すように、本発明によれば、隣り合うデータ線１０３間に固定電位が供給される導電部１２０を設けることで、一方のデータ線１０３から他方のデータ線１０３に達する電気力線が減少する。従って、導電部１２０を設けない構成に比べ、クロストークの原因となるデータ線１０３間の寄生容量Ｃを小さくすることができる。一方、図２０（Ａ）および図２０（Ｂ）に示すように、データ線１０３と直交する方向に電源線１１０を設け、電源線１１０によって各データ線１０３の一部分を覆う従来の構造の場合、データ線１０３間の距離（例えば１０〜１３ｕｍ程度）より、データ線１０３と電源線１１０との間の膜厚（例えば２００〜３００ｎｍ程度）の方が小さいため、データ線１０３間の電気力線の密度が少なくなる。従って、電源線１１０で各データ線１０３を覆わない構成に比べ、クロストークの原因となるデータ線１０３間の寄生容量Ｃを小さくすることができる。
【００７１】
このようにどちらの場合もデータ線１０３間の寄生容量Ｃを小さくし、クロストークを低減することができるが、従来の構造の場合は、データ線１０３と電源線１１０の間の寄生容量Ｃ２が大きくなりすぎてしまい、信号波形の遅延が生じて表示品位が低下してしまう。これに対し、本発明によれば、データ線１０３と導電部１２０の間の寄生容量Ｃ１，Ｃ１’は、従来の構造に比べてはるかに少ないため（Ｃ１，Ｃ１’≪Ｃ２）、信号波形の遅延による表示品位の低下が起き難い。よって、表示品位の低下を招くことなく、隣り合うデータ線１０３間の寄生容量Ｃに起因するクロストークを低減できる。
【００７２】
次に、固定電位が供給される遮蔽用の導電部をデータ線間に備えると共に線順次駆動を行う電気光学装置と比較した場合の本発明の効果について説明する。なお、線順次駆動の場合は各データ線に対して同時にデータ信号を書き込むのに対し、本発明では少なくとも隣り合う２本のデータ線にそれぞれ異なるタイミングでデータ信号を書き込む点で、構成が相違する。
【００７３】
まず、線順次駆動の場合、各データ線に対して同時にデータ信号を書き込むので、データ信号を書き込むタイミングにおいて電気光学装置の消費電流が瞬間的に大きくなる。このため電源線の電位（遮蔽用の導電部に供給される固定電位）が瞬間的に大きく変動する場合がある。このように遮蔽用の導電部に供給される固定電位が変動すると、導電部とデータ線の間の寄生容量を介してデータ線の電位が変動し、表示品位の低下を招く。また、線順次駆動の場合、このような電源線の瞬間的な電位変動を抑えるためには、電源線の線幅を太くして抵抗を抑えるなど、電源からの固定電位の供給能力を高めなければならない。これに対し、本発明では、スイッチング回路を用いることで、少なくとも隣り合う２本のデータ線にはそれぞれ異なるタイミングでデータ信号が書き込まれる。このため遮蔽用の導電部に供給される固定電位が瞬間的に大きく変動することを抑えられる。その結果、線順次駆動の場合に比べ、データ線の電位変動を抑え、表示品位の低下を防ぐことができる。また、線順次駆動の場合のように電源線の線幅を太くするなどせずとも、電源線の瞬間的な電位変動を抑えられる。
【００７４】
また、線順次駆動の場合は、各データ線に対して同時にデータ信号を書き込むための回路、例えばラッチ回路＋スイッチング回路が必要になる。これに対し、本発明ではスイッチング回路のみでよいため、回路素子数が低減できる。その結果、液晶パネルの小型化や歩留まりの向上が図れる。また、スイッチング回路をデマルチプレクサで構成すると、データ信号を供給するために実装する部品、例えばドライバＩＣの点数を減らすことができる。その結果、接点数の低減に伴う信頼性の向上、実装面積や端子数の低減に伴う液晶パネルの小型化、部品数の低減に伴うコストダウンなどの効果が得られる。
【００７５】
＜８．電子機器＞
次に、上述した実施形態および変形例に係る電気光学装置１，２を適用した電子機器について説明する。図２１に、電気光学装置１，２を適用したモバイル型のパーソナルコンピュータの構成を示す。パーソナルコンピュータ２０００は、表示ユニットとしての電気光学装置１，２と本体部２０１０を備える。本体部２０１０には、電源スイッチ２００１とキーボード２００２が設けられている。
図２２に、電気光学装置１，２を適用した携帯電話機の構成を示す。携帯電話機３０００は、表示ユニットとしての電気光学装置１，２と、複数の操作ボタン３００１と、スクロールボタン３００２を備える。スクロールボタン３００２を操作することで、電気光学装置１，２に表示される画面がスクロールされる。
図２３に、電気光学装置１，２を適用した情報携帯端末（ＰＤＡ：Personal Digital Assistants）の構成を示す。情報携帯端末４０００は、表示ユニットとしての電気光学装置１と、複数の操作ボタン４００１と、電源スイッチ４００２を備える。操作ボタン４００１を操作することで、住所録やスケジュール帳といった各種の情報が電気光学装置１，２に表示される。
なお、電気光学装置１，２が適用される電子機器としては、図２１〜図２３に示すものの他、液晶テレビ、デジタルスチルカメラ、ビデオカメラ、カーナビゲーション装置、電子ペーパー、電子手帳、電卓、テレビ電話、ＰＯＳ端末、プリンタ、複写機などが挙げられる。
【図面の簡単な説明】
【００７６】
【図１】第１実施形態に係る電気光学装置の構成を示すブロック図である。
【図２】周辺領域の構造を示す平面図である。
【図３】遮蔽配線とデータ線の等価回路を示す図（図３（Ａ））と、遮蔽配線がない場合の等価回路を示す図（図３（Ｂ））である。
【図４】表示領域とその周辺部の等価回路を示す図である。
【図５】遮蔽配線がない場合のＲ色、Ｇ色およびＢ色の階調-輝度特性を示すグラフである。
【図６】黒浮きについて説明するためのグラフである。
【図７】データ信号を書き込む場合の電気光学装置の各部の信号波形を示すタイミングチャートである。
【図８】遮蔽配線がない場合の電気光学装置の各部の信号波形を示すタイミングチャートである。
【図９】第２実施形態に係る周辺領域の回路構成を示す図である。
【図１０】周辺領域の回路構成の変形例を示す図である。
【図１１】第３実施形態に係る周辺領域の構造を示す平面図である。
【図１２】データ信号を書き込む場合の電気光学装置の各部の信号波形を示すタイミングチャートである。
【図１３】遮蔽配線がある場合のＲ色、Ｇ色およびＢ色の階調-輝度特性を示すグラフ（図１３（Ａ））と、遮蔽配線がない場合のＲ色、Ｇ色およびＢ色の階調-輝度特性を示すグラフ（図１３（Ｂ））である。
【図１４】第４実施形態に係る電気光学装置の構成を示すブロック図である。
【図１５】データ信号を書き込む場合の電気光学装置の各部の信号波形を示すタイミングチャートである。
【図１６】遮蔽配線がある場合のＢ色の階調-輝度特性を示すグラフ（図１６（Ａ））と、遮蔽配線がない場合のＢ色の階調-輝度特性を示すグラフ（図１６（Ｂ））である。
【図１７】第５実施形態に係る周辺領域の構造を示す平面図（その１）である。
【図１８】第５実施形態に係る周辺領域の構造を示す平面図（その２）である。
【図１９】本発明の概略構造を示す平面図と断面図である。
【図２０】従来の構造を示す平面図と断面図である。
【図２１】本発明に係る電子機器の具体例を示す斜視図である。
【図２２】本発明に係る電子機器の具体例を示す斜視図である。
【図２３】本発明に係る電子機器の具体例を示す斜視図である。
【符号の説明】
【００７７】
１，２……電気光学装置、１００……走査線駆動回路、２００……データ線駆動回路、２１０……信号出力回路、２２０……選択回路、２０Ｕ……選択部、２３０……サンプリング回路、２４０……シフトレジスタ、４００……画素回路、６００……制御回路、Ｘ１〜Ｘｍ，ＶＩＤ……画像信号、２４，２５……画像信号線、SEL-R、SEL-G、SEL-B……選択信号、Ｓ１〜Ｓ３ｍ……サンプリングパルス、Ｘ１ｒ〜Ｘｍｒ，Ｘ１ｇ〜Ｘｍｇ，Ｘ１ｂ〜Ｘｍｂ……データ信号、１０３，１０３[１]，１０３[２]，１０３[３]……データ線、ＡＡ……液晶パネル、Ａ……表示領域、Ｂ１〜Ｂ４……周辺領域、１１０，１１０Ａ，１１０Ｂ……電源線、１２０，１２０Ａ，１２０Ｂ，１３０……遮蔽配線，導電部、Ｈ……コンタクトホール、Ｍ……マーク部、Ｄ……ダイオード素子、Ｃａ……寄生容量、Ｔｐ……プレチャージ期間、プレチャージ電位Ｖｐ。
【図１】
2010055041.tif 000003
【図２】
2010055041.tif 000004
【図３】
2010055041.tif 000005
【図４】
2010055041.tif 000006
【図５】
2010055041.tif 000007
【図６】
2010055041.tif 000008
【図７】
2010055041.tif 000009
【図８】
2010055041.tif 000010
【図９】
2010055041.tif 000011
【図１０】
2010055041.tif 000012
【図１１】
2010055041.tif 000013
【図１２】
2010055041.tif 000014
【図１３】
2010055041.tif 000015
【図１４】
2010055041.tif 000016
【図１５】
2010055041.tif 000017
【図１６】
2010055041.tif 000018
【図１７】
2010055041.tif 000019
【図１８】
2010055041.tif 000020
【図１９】
2010055041.tif 000021
【図２０】
2010055041.tif 000022
【図２１】
2010055041.tif 000023
【図２２】
2010055041.tif 000024
【図２３】
2010055041.tif 000025